(57)【要約】本発明は、ラベルと、このラベルを形成して分離・添付するための方法と装置とに関する。ラベルは、ラベルのロールの一部として設けられる。ラベルは、ブリッジ部分を有する不連続な線を介して互いに、および／またはラベル材料または基板材料のうち不要な部分に結合されている。ラベルは、接着剤層とこれに塗布された剥離材料層とその上に印刷されたインキとを有する。一実施形態において接着剤は、ロールを形成する前に剥離材料層の上に塗布され、ラベルがロールから取り出されるときに、接着剤層は剥離層を離れて、ロール内のこれらの層の上に在るラベルの面に接触する。
2008529048.tif 000002
【特許請求の範囲】
【請求項１】
台紙に形成された一連のラベルであって、前記ラベルの各々は少なくとも一つの面上に印刷されたインキパターンと、前記ラベルの第１の面の少なくとも一部に塗布された剥離材料層と、前記ラベルの前記第１の面および／または第２の面、の少なくとも一部分に塗布された接着剤層と、を有し、前記一連のラベルの周辺の少なくとも一部は前記台紙を介して加えられた不連続な切断線によって画定されており、前記切断線における前記不連続部は台紙の不要部分および／または他のラベル、からの前記ラベルの剥離を可能にするために破断される少なくとも一つのブリッジ部分を画定しており、前記一連のラベルは各々、前記ラベルの一つが取り外されて品物に接着されるまで結合されてラベルが保持されるように隣接ラベルと結合している少なくとも一つのブリッジ部分を有する、一連のラベル。
【請求項２】
隣接するラベル同士が、台紙の不要部分が取り外された後に、前記少なくとも一つのブリッジ部分によって接触状態で保持されている請求項１に記載の一連のラベル。
【請求項３】
前記一連のラベルが、ロールに移動され、そこで前記ラベルは品物への選択的貼付のために引き続いて分離される請求項１に記載の一連のラベル。
【請求項４】
前記隣接するラベル間に複数のブリッジ部分が設けられる請求項１に記載の一連のラベル。
【請求項５】
接着剤層が各ラベルの第１の面の少なくとも一部分に塗布され、この面の残り部分は、接着剤を有さないかあるいは第１のタイプとは異なる特性を有する第２のタイプの接着剤が前記残り部分に塗布される請求項１に記載の一連のラベル。
【請求項６】
前記第１のタイプの接着剤が、前記第２のタイプの接着剤より耐久性があるかより剥離し難いものである請求項５に記載の一連のラベル。
【請求項７】
前記残り部分は、それと共に更なる台紙部分が配置される請求項５に記載の一連のラベル。
【請求項８】
前記更なる台紙部分が、前記ラベルから少なくとも一部が分離可能である請求項７に記載の一連のラベル。
【請求項９】
各ラベルと追加の台紙部分が組み合わされて、ＲＦＩＤタグを形成する請求項７に記載の一連のラベル。
【請求項１０】
ラベルの形成と品物へのラベルの貼付とのための装置であって、前記装置が、シート材料を保持するための保持具と前記シート材料の自由端を切断手段に移動させるための送り手段とを含み、前記切断手段は前記シート材料からラベルを形成するためのダイおよびアンビルを含み、先頭のラベルが貼付点に送られた品物に貼付され、それに接着する貼付点に前記ラベルが動かされ、引き続いて搬送ベルトからのラベルの残りの取り外しと品物への接着が行われる前記切断手段から先導する搬送手段が設けられている、ラベルの形成と品物へのラベルの貼付とのための装置。
【請求項１１】
品物へのラベルの貼付を確実に行うために貼付点にガイドローラが設けられる請求項１０に記載の装置。
【請求項１２】
連続するラベルが、切断される場所で分離される請求項１０に記載の装置。
【請求項１３】
連続するラベルの隣接するエッジが、切断される場所で形成され、少なくとも一つのブリッジ部分を介して互いに結合され、前記ブリッジ部分はラベルが品物に貼付されるときに隣接するラベルからこのラベルを切り離すために破断される請求項１０に記載の装置。
【請求項１４】
前記装置が第１の前記搬送手段の下流に配置された更なる搬送ベルトを含み、前記第１の搬送ベルトから前記更なる搬送ベルトへのラベルの移動を選択的に可能にするために制御手段が設けられている請求項１０に記載の装置。
【請求項１５】
搬送ベルト上に配置されたときにラベルに印刷を施すために印刷ステーションが配置される請求項１０に記載の装置。
【請求項１６】
前記印刷ステーションが、ラベルが貼付される個別の品物に固有である材料の貼付をする請求項１５に記載の装置。
【請求項１７】
一連のラベルを順次に一つ以上の品物に分与するための装置であって、前記装置は、台紙として形成されたラベルのロールを保持するための保持具と、ラベルが貼付される品物に接触するように先頭のラベルの前端を露出するために、前記台紙の自由端を分与貼付器に送る送り手段とを含み、前記送り手段は、前記品物を移動させるとともに、前記ラベル自由端をガイドして前記品物に接触させて接着するためのガイド手段が設けられており、品物に貼付されたラベルの自由端とともに動く品物の引き続く動きがこのラベルの残り部分を台紙から引き裂いて品物に貼付し、前記引き裂きは隣接ラベル間におよび／またはラベルと台紙材料の不要部分との間に、形成された切れやすい切断線に沿って形成されたブリッジ部分に発生する装置。
【請求項１８】
前記装置が、破断の発生を促進するために、品物に貼付されるラベルと台紙の残り部分との間の切断線において、または切断線に隣接して、台紙に接触するように配置されたブレードを含む請求項１７に記載の装置。
【請求項１９】
前記ブレードが適所に固定される請求項１７に記載の装置。
【請求項２０】
前記ブレードが前記台紙に対して往復運動が可能である請求項１７に記載の装置。
【請求項２１】
前記台紙がベルト上に配置されて貼付器に送られる請求項１７に記載の装置。
【請求項２２】
前記ベルトが駆動されて、前記台紙のための送り手段として機能する請求項２１に記載の装置。
【請求項２３】
一連のラベルを形成する方法であって、前記方法は不連続な線がラベルの周辺の少なくとも一部を画定する線であって不連続部が台紙の不要部分および／または隣接ラベル、と共にラベルを保持するブリッジ部分を形成する不連続な線を各ラベル位置で切断するステーションに台紙ストリップを送るステップと、前記ラベルの一つの面の少なくとも一部に剥離材料層を塗布するステップと、前記剥離層の上におよび／または前記ラベルの反対側の面に、接着剤層を塗布するステップと、を備え、前記台紙ストリップはインキパターンがこの台紙ストリップに塗布されるようにインキ印刷ステーションを通る方法。
【請求項２４】
前記台紙は引き続いて、台紙の不要部分および／または更なるラベル、から各ラベルを順次に剥離するためにブリッジ部分を破断する貼付器に送られる請求項２３に記載の方法。
【請求項２５】
前記インキが前記接着剤層を塗布する前に塗布される請求項２３に記載の方法。
【請求項２６】
前記台紙が引き続いて、ラベルが前記台紙の不要な部分から分離されるが少なくとも一つの隣接ラベルに接触した状態に留まるステーションに送られ、前記ラベルは前記台紙の不要な部分が廃棄されたラベルのロールに巻き取られる請求項２３に記載の方法。
【請求項２７】
隣接ラベルが、前記ロールからラベルを分離するように品物に貼付されるために、ラベルがロールから引き続いて取り外されるときに破断されるブリッジ部分を介して互いに接続されている請求項２６に記載の方法。
【請求項２８】
隣接ラベルが、連続する品物に貼付される請求項２７に記載の方法。
【請求項２９】
ラベルがグループ別に設けられ、ラベルの各グループは品物の上の間隔をあけた場所においてその品物に貼付される請求項２７に記載の方法。
【請求項３０】
前記グループ内の一のラベルに比較して他のラベルに印刷されたインキパターンが異なる方向を向いている請求項２９に記載の方法。
【請求項３１】
前記接着剤層が前記剥離層の上に塗布されており、ラベルのロールの引き続く巻き解き時に前記接着剤層は剥離層から分離して、ロール内の接着剤層と接触しているラベルの剥離層が塗布されていない面に接着する請求項２３に記載の方法。
【請求項３２】
前記剥離材料および／または接着剤層、がラベルの周辺に位置合わせされた状態で塗布される、請求項２３に記載の方法。
【請求項３３】
前記剥離層および／または接着剤、がパターン化された形で塗布される請求項２３に記載の方法。
【請求項３４】
前記剥離層および／または接着剤パターン、がインキパターンと位置合わせされた状態で塗布される請求項３３に記載の方法。
【請求項３５】
前記ラベルがこのラベルに加えられる可変データを受けるための部分を含み、前記部分はこれに塗布される剥離剤層を有さない請求項２３〜３４のいずれかに記載の方法。
【請求項３６】
印刷プロセスで使用されるインキは水性インキであって、このインキをシールするためにインキの上にワニスの層が塗布される請求項２３に記載の方法。
【請求項３７】
一連のラベルを形成する方法であって、前記方法は、台紙を送るステップと、ラベルの周辺を少なくとも部分的に画定する不連続な線であってこの線の不連続部が台紙の不要部分および／または隣接ラベル、と共にラベルを保持するブリッジ部分を形成する不連続な線を各ラベル位置で切断するステップと、前記ラベルの一つの面の少なくとも一部に剥離材料層を塗布するステップと、前記剥離材料層の少なくとも一部および／または前記ラベルの反対側の面の少なくとも一部、に接着剤層を塗布するステップと、を備え、いったん品物に塗布されると前記ラベルを通して目に見えるインキを塗布するために前記台紙の少なくとも一つの面に印刷するステップが実行される方法。
【請求項３８】
前記台紙は透明であり、前記インキは前記接着剤層の塗布に先立って前記印刷ステップにおいて前記ラベルの面に塗布される請求項３７に記載の方法。
【請求項３９】
前記ラベルに印刷されたインキがいったん前記ラベルが品物に貼付されると透明な台紙を通して目に見える請求項３８に記載の方法。
【請求項４０】
品物へ引き続いて貼付するための一連のラベルのストリップからラベルを分離するための方法であって、前記方法は直線状の関係に一連のラベルを形成するステップを含み、各ラベルのエッジは不連続な線によって画定されており、前記不連続部はブリッジ部分によって形成され、前記ストリップの自由端を形成する先頭ラベルの自由端はラベルが貼付される品物に接触し接着して配置され、前記品物と前記ラベルとの間の引き続く相対的動作は隣接ラベルとのブリッジ部分を破断し、それによってこのラベルを隣接ラベルから切り離して前記品物と前記ラベルとの接着を可能にする方法。
【請求項４１】
前記相対的動きが、品物とこれに接触するときのラベルとの間の動作方向の差分および／または速度の差分、を含む請求項４０に記載の方法。
【請求項４２】
前記ラベルまたは品物の一方は、少なくとも、前記ラベルが取り付けられている隣接ラベルに対するラベルの破断力が生じている間、他方より速く動かされる請求項４１に記載の方法。
【請求項４３】
前記ラベルまたは品物の一方の動きが、このラベルのための破断力を生成するために、一時的に停止させられる請求項４１に記載の方法。
【請求項４４】
前記方法が品物の動きに同期してラベルの各々のために繰り返される請求項４０に記載の方法。
【請求項４５】
前記品物およびラベルの相対的動作が、隣接するラベル間の接触点における破断力を生成するためにそれぞれの速度間に変化が存在するようにラベル送りおよび／または品物送り、の動作速度を制御することによって達成される請求項４０〜４５のいずれかに記載の方法。
【請求項４６】
前記品物の動作速度が、少なくとも前記一連のラベルから各ラベルを分離するために必要な時間の間は、前記ラベルの送り速度より大きい請求項４１に記載の方法。
【請求項４７】
前記品物の動作方向が、前記ラベルの送り方向に関して角度的ずれがある請求項４０に記載の方法。
【請求項４８】
前記ラベル送り経路と前記品物送り経路との間の角度が、前記ラベルの自由端が前記品物に接着したときに隣接ラベル間の接触点において引き裂き作用を生成する請求項４７に記載の方法。
【請求項４９】
台紙ウェブからラベルを印刷して形成する方法であって、前記方法は、デジタル印刷プロセスを使用してインキを塗布するステップと、台紙に沿ってある間隔で台紙をダイカッティングすることによって前記ラベルの周辺を形成するステップと、台紙材料の不要な部分におよび／または少なくとも一つの隣接ラベルに、接触した状態に前記ラベルを保持するブリッジ部分によって不連続な線を形成するステップと、を含む方法。
【請求項５０】
前記印刷およびダイカッティングが、インライン形成プロセスの一部として実行される請求項４９に記載の方法。
【請求項５１】
材料のウェブからラベルを印刷して形成する方法であって、前記方法は、前記ラベルにインキを塗布するステップと、パターン化された仕方で台紙に沿ってある間隔で台紙をダイカッティングすることによって前記ラベルの各ラベルの周辺を形成するステップと、を含み、前記ダイカッティングは、前記台紙および／または隣接ラベル、に接触した状態に前記ラベルを保持するブリッジ部分によって不連続な線を形成し、前記一連のラベルの少なくとも一方側にラミネート層が貼付されており、レーザーを介して前記ラミネートを通して前記台紙にデータが加えられる方法。
【請求項５２】
ラベルが貼付される品物に関連してラベルを印刷して形成する方法であって、前記方法は、前記ラベルの少なくとも一つの表面にインキを塗布するステップと、前記品物の少なくとも一部分の周りに巻き付くように前記ラベルを貼付するステップと、を含み、前記ラベルはそれぞれのサイドエッジによって結合された前部エッジと後部エッジとを有し、前記前部エッジと後部エッジは、いったんラベルが前記品物の周りに巻き付けられると互いにオーバーラップするか、あるいは隣り合わせに配置され、前記ラベルが形成される台紙を前記品物のエッジの周りに巻き付かせ、それによって前記ラベルを前記品物に固定するために前記サイドエッジ部分に熱が印加される方法。
【請求項５３】
前記サイドエッジ部分には接着剤が塗布されていない、請求項５２に記載の方法。
【請求項５４】
前記サイドエッジに平行に走る孔あき線が形成される、請求項５２に記載の方法。
【発明の詳細な説明】
【技術分野】
【０００１】
本出願が関係する本発明は、ラベルおよびこのラベルの形成と貼付のための装置であり、このラベルは従来形式のラベルを改良しており、この装置はこのラベルを形成して品物に貼付する効率的で効果的な仕方を提供する。
【背景技術】
【０００２】
多年の間、ラベルが品物に貼付されることを可能にする接着剤の層を用いることは、品物への貼付に先立ってラベルが裏当て層の上に位置決めされる必要があることを意味している。ラベルが貼付されるとき、ラベルは裏当て層から取り外されて品物に貼付される。しかしながら、装置とプロセスの両面において、ラベル貼付のための可能な使用法が制限され、ラベル貼付後に廃棄される裏当て層が生じるために、材料の損失を引き起こすものであった。
【０００３】
本出願人は、英国特許第２４０５３９６号明細書において、ラベルとウェブとの間のいくつかの接触点またはブリッジの破断を引き起こし、それによってラベルがウェブから取り外されて品物に貼付されるように、ラベルを品物に分与して品物とラベルとの間の最初の接触を可能にするために役立つビーク（くちばし；beak）を利用することによってラベルのウェブから品物に分与するための装置を開示している。この構成は、裏当て層の必要なしにラベルがウェブの一部として設けられることを可能にする。
【発明の開示】
【発明が解決しようとする課題】
【０００４】
本発明の目的は、裏打ちなし（linerless）ラベルとも記述される裏当て層を有さないラベルを分与するための装置とラベルを改良することである。
【課題を解決するための手段】
【０００５】
本発明の第１の態様では、台紙（substrate）に形成された一連のラベルであって、前記ラベルの各々は少なくとも一つの面上に印刷されたインキパターンと、前記ラベルの第１の面の少なくとも一部に塗布された剥離材料層と、前記ラベルの前記第１の面および／または第２の面、の少なくとも一部分に塗布された接着剤層と、を有し、前記一連のラベルの周辺の少なくとも一部は前記台紙を介して加えられた不連続な切断線によって画定されており、前記切断線における前記不連続部は台紙の不要部分（extraneous substrate）からの前記ラベルの剥離を可能にするために破断される少なくとも一つのブリッジ部分を画定しており、前記一連のラベルは各々、前記ラベルの一つが取り外されて品物に接着されるまで結合されてラベルが保持されるように隣接ラベルと結合している少なくとも一つのブリッジ部分を有する一連のラベルが提供される。
【０００６】
一実施形態において、隣接するラベル同士は、台紙の不要部分が取り外された後に少なくとも一つのブリッジ部分によって接触状態で保持されている。一実施形態において一連のブリッジ部分は、隣接ラベルを互いに接続する。
【０００７】
一実施形態において、一連のラベルはロール内に移動され（move）、そこでこれらのラベルは品物への選択的貼付のために引き続いて分離される。
【０００８】
一実施形態において、接着剤層は、各ラベルの第１の面の少なくとも一部分に塗布され、この面の残り部分は接着剤を有さないかあるいは第１の接着剤とは異なる特性を有する第２のタイプの接着剤を有する。一実施形態において第１の接着剤は、第２の接着剤より耐久性があるかより剥離し難い。
【０００９】
本発明の更なる態様では、一連のラベルを順次に一つ以上の品物に分与するための装置であって、前記装置は、台紙として形成されたラベルのロールを保持するための保持具と、ラベルが貼付される品物に接触するように先頭のラベルの前端を露出するために、前記台紙の自由端を分与貼付器に送る送り手段と、前記品物を移動させる送り手段と、を含み、前記送り手段は前記品物を移動させるとともに前記ラベル自由端をガイドして前記品物に接触させて接着するためのガイド手段が設けられており、品物に貼付されたラベルの自由端とともに動く品物の引き続く動きがこのラベルの残り部分を台紙から引き裂いて品物に貼付し、前記引き裂きは、隣接ラベル間におよび／またはラベルと台紙材料の不要部分との間に、形成された切れ易い切断線に沿って形成されたブリッジ部分に発生する装置が提供される。
【００１０】
一実施形態において、装置は、破断の発生を促進するために、品物に貼付されるラベルと台紙の残り部分との間の切断線において、または切断線に隣接して台紙に接触するように配置されたブレードを含む。
【００１１】
一実施形態において、ブレードは適所に固定される。別な形態として、ブレードは台紙に向かって、また台紙から離れるように往復運動が可能であって、この動きは、切断線の引き裂きが必要とされるときにブレードがこの切断線に接触するように時間調整される。
【００１２】
一実施形態において、台紙は、ベルト上に配置されて、被駆動ベルトを介して貼付器に送られる。
【００１３】
本発明の更なる態様では、一連のラベルを形成する方法であって、前記方法は、不連続な線がラベルの周辺を画定する線であって不連続部が台紙および／または隣接ラベル、と共にこのラベルを保持するブリッジ部分を形成する不連続な線を各ラベル位置で切断するためのステーションに台紙を送る台紙ストリップを送るステップと、前記ラベルの一つの面の少なくとも一部に剥離材料層を塗布するステップと、前記剥離層の上におよび／または前記ラベルの反対側の面に、接着剤層を塗布するステップと、を備え、前記台紙ストリップはインキパターンがこの台紙ストリップに塗布されるようにインキ印刷ステーションを通る方法が提供される。
【００１４】
一実施形態において、台紙は引き続いて、台紙の不要部分および／または更なるラベルから各ラベルを順次に剥離するためにブリッジ部分を破断する貼付器に送られる。
【００１５】
一実施形態において、インキは接着剤層を塗布する前に塗布される。
【００１６】
一実施形態において、台紙は引き続いて、ラベルが周囲の台紙から分離されるが隣接ラベルに接触した状態に留まり、それから周囲台紙が廃棄されたラベルのロールに巻き取られるステーションに送られる。本実施形態おいて、隣接ラベルは、不連続な線に沿ってブリッジ部分で結合されており、ブリッジ部分は、各ラベルを分離するように品物に貼付されるために、ラベルがロールから引き続いて取り外されるときに破断される。
【００１７】
いずれの形式においても、一実施形態において、各隣接ラベルは、連続する品物に貼付される。別の実施形態おいて、ラベルは、例えば第１、第２の隣接するラベルが同じ品物に貼付される１グループを形成し、次の二つのラベルが次の品物に貼付される１グループを形成し、以下同様となるように、グループ別に設けられる。本実施形態おいて、このグループ内の一のラベルと比較して他のラベルに印刷されたインキパターンはラベルグループの品物への引き続く貼付を助けるために１８０度反対にして貼付することができる。
【００１８】
一実施形態において、接着剤層は剥離層の上に塗布されており、ラベルが引き続いてロールの形態で供給されるときおよび／または引き続く巻き解きの際に、接着剤層は剥離層から分離して、接着剤層と接触しているラベルの剥離層が塗布されていない面に塗布される。
【００１９】
一実施形態において、剥離材料および／または接着剤層は、周辺によって画定された領域内または制御可能な程度にオーバーラップした領域内のいずれかにあるラベルの周辺に位置合わせされた状態で塗布される。
【００２０】
一実施形態において、剥離層および／または接着剤は、パターン化された形で塗布され、好ましい実施形態おいて、パターン化された形で塗布されるとき、このパターンはラベルに塗布されたインキパターンと位置合わせされた状態にある。
【００２１】
一実施形態において、ラベルがこのラベルの一部分に印刷される可変データを有するために使用されるときに特別の利益があるもので、この可変データが印刷される部分には、剥離層材料が塗布されない。従ってこれは、例えば台紙が熱に反応するインキを特定の部分に含浸した感熱紙であれば、前記部分における剥離層材料が欠如するため、可変データの感熱印刷が既存の装置を使用して感熱インキを用いることによって達成することができる。
【００２２】
使用される接着剤のタイプは、ラベルが貼付される品物のタイプ、品物のその後の使用法などの点からラベルのその後の使用要件に合うように選択できる。またコーティングの重さと深さは、制御可能なパラメータを使用して調整可能である。例えば接着剤を塗布するためにアニロックスローラが使用されれば、ローラのセルサイズは要件に合うように調整可能である。
【００２３】
一実施形態において、印刷プロセスで使用されるインキは水性インキであって、このインキをシール（密封）するためにインキの上にワニスの層が塗布される。
【００２４】
本発明の更なる態様において、ラベル面の一部分に塗布された特別のタイプの接着剤層を備えたラベルが提供され、このラベル面の残り部分は接着剤を有さないか、これに塗布された第１のタイプとは異なる特性を有する接着剤を有する。
【００２５】
一実施形態において、第１のタイプの接着剤は、第２のタイプの接着剤よりも耐久性があるか、あるいは品物から剥離し難い。
【００２６】
一実施形態において、接着剤を有さない、またはより剥離し易い接着剤を有するラベルの面の部分は、これと共に更なる台紙部分が配置される。一実施形態において、この更なる部分は、ホストラベルから少なくとも一部は分離可能である。一実施形態において、この分離は、ミシン目を設けることによって達成される。この更なる台紙部分は、折り畳み可能、例えばコンサーティーナ（concertina;アコーディオン）式に折り畳み可能であって、これがホストラベルから少なくとも部分的に剥離されるときに、更なる情報が見られるように引き伸ばされることが可能である。
【００２７】
一実施形態において、ホストラベルと追加の台紙は組み合わされて、追加の台紙の一部として設けられた回路を有するＲＦＩＤタグを形成する。
【００２８】
本発明の更なる態様では、一連のラベルを形成する方法であって、上記方法は、不連続な線がラベルの周辺の少なくとも一部を画定する線であってこの線の不連続部が台紙の不要な部分および／または隣接ラベル、と共にラベルを保持するブリッジ部分を形成する不連続な線を各ラベル位置で切断するステーションに台紙ストリップを送るステップと、ラベルの一つの面の少なくとも一部に剥離剤層を塗布するステップと、剥離層に、および／またはラベルの反対側の面の少なくとも一部に、接着剤層を塗布するステップと、を備え、いったん品物に塗布されるとラベルを通して目に見える上記インキを塗布するために台紙の少なくとも一つの面に印刷するステップが実行される方法が提供される。
【００２９】
一実施形態において、台紙は透明であり、インキは接着剤層の塗布に先立って印刷ステップにおいてラベルの面に塗布される。この場合、印刷は透明な台紙を通して目に見ることができ、したがってラベルが品物に貼付されるとき、インキはラベルの台紙によって損傷から保護される。
【００３０】
本発明のなお更なる態様では、品物へ引き続いてする貼付のための一連のラベルのストリップからラベルを分離するための方法であって、上記方法は直線状の関係に一連のラベルを形成するステップを含み、各ラベルのエッジは不連続な線によって画定されており、上記不連続部はブリッジ部分によって形成され、ストリップの自由端を形成する先頭ラベルの自由端はラベルが貼付される品物に接触し接着して配置され、品物とラベルとの間の引き続く相対的動作は隣接ラベルとのブリッジ部分を破断し、それによってラベルを隣接ラベルから切り離して品物と上記ラベルとの接着を可能にする方法が提供される。
【００３１】
典型的には、このプロセスは、品物の動きに同期してラベルの各々に関して繰り返される。
【００３２】
一実施形態において、品物とラベルの相対的動作は、接触点における破断力を生成するために十分な時間の間、それぞれの速度間に変化が存在するようにラベル送りと品物送りの動作速度を制御することによって達成される。好ましい実施形態おいて品物の動作速度は、少なくとも一連のラベルから各ラベルを分離するのに必要とされる瞬間を達成するために十分な時間の間、ラベルの送り速度より大きい。
【００３３】
更に、または別な形態として、品物の動作方向は、ラベルの送り方向に関して一直線にも平行にもなっていない。典型的にはラベル送り経路と品物経路との間のずれの度合いは、いったんラベルの自由端が品物に接着するとラベル間の接触点に引き裂き作用を作り出すほど十分に大きいが、ラベルが品物の表面に均一に貼付されてラベルが品物の上にあるときにラベルのしわができないことを確実にするほど十分に小さい。
【００３４】
本発明の更なる態様では、材料のウェブからラベルを印刷して形成する方法であって、上記方法は、デジタル印刷プロセスを使用してインキを塗布するステップと、次に台紙に沿ってある間隔で台紙をダイカッティングすることによって上記ラベルの周辺を形成するステップと、を含み、上記ダイカッティングはラベルをウェブと接触した状態で保持するブリッジ部分によって不連続な線を形成する方法が提供される。
【００３５】
印刷とダイカッティングがインラインで実行されると、システムは、比較的短い運用においてマルチラベル設計のために特に有用であって、カッターの輪郭形状はレーザーダイカッティングをブリッジ部分に適合するように変更可能である。したがってカッターの輪郭形状は、複数のカッター形式を準備する必要なしにラベル設計運用ごとに変更可能である。
【００３６】
本発明の更なる態様では、材料のウェブからラベルを印刷して形成する方法であって、上記方法は、ラベルにインキを塗布するステップと、パターン化された仕方で台紙に沿ってある間隔で台紙をダイカッティングすることによって上記ラベルの各ラベルの周辺を形成するステップと、を含み、上記ダイカッティングは台紙および／または隣接ラベル、に接触した状態にラベルを保持するブリッジ部分によって不連続な線を形成し、一連のラベルの少なくとも一方側にラミネート層が貼付されており、レーザーを介してラミネートを通して上記台紙にデータが加えられる方法が提供される。
【００３７】
更なる態様において、ラベルが貼付される品物に関連してラベルを印刷して形成する方法であって、上記方法は、上記ラベルの少なくとも一つの表面にインキを塗布するステップと、上記品物の少なくとも一部分の周りに巻き付くように上記ラベルを貼付するステップと、を含み、上記ラベルはそれぞれのサイドエッジによって結合された前部エッジ（前縁）と後部エッジ（後縁）とを有し、上記前部エッジと後部エッジは、いったんラベルが上記品物の周りに巻き付けられると互いにオーバーラップするか、あるいは隣り合わせに配置され、ラベルが形成された台紙を上記品物のエッジの周りに巻き付かせ、それによってラベルを品物に固定するためにサイドエッジ部分に熱が印加される方法が提供される。
【００３８】
一実施形態において、インキが塗布される面とは反対のラベルの表面は、ラベルを品物に貼付するときの接着剤層を有する。
【００３９】
一実施形態において、上記サイドエッジから内側のラベル部分にはインキが塗布されていない。これは熱が印加される部分である。
【００４０】
一実施形態においてラベルが貼付される品物は、例えば電池、ビン、ビンの一部分などのようにほぼ円筒形である。
【００４１】
一実施形態においてラベルは、ラベルのサイドエッジの中間に形成されてサイドエッジにほぼ平行に走る孔あき線を有する。この孔あき線は、いったんラベルが品物に貼付されると解放手段として働き、したがって不正開封防止指示器として機能する。
【００４２】
典型的には、このタイプのラベルは、既にこれまでに説明された方法のいずれかにしたがって、説明された装置のいずれかを利用して形成される。
【００４３】
本発明の更なる態様において、ラベルの形成とラベルの品物への貼付とのための装置であって、上記装置は、シート材料を保持するための保持具と上記シート材料の自由端を切断手段に移動させるための送り手段とを含み、上記切断手段はシート材料からラベルを形成するためのダイ（ダイカッティング用の工具）およびアンビル（金床）を含み、先頭のラベルが品物に貼付されてそれに接着する貼付点に上記ラベルが動かされて、搬送ベルトからラベルの残り部分を取り外して品物に接着する、切断手段から先導する搬送手段が設けられている装置が提供される。
【００４４】
一実施形態において、品物へのラベルの貼付を確実に行うために貼付点にガイドローラが設けられる。典型的には、品物は、ラベルと品物との間の位置合わせがされるように、貼付点に順次に送られる。
【００４５】
一実施形態において、連続するラベルは、切断のときに分離され、あるいは別な形態において、これらのラベルの隣接するエッジは、少なくとも一つのブリッジ部分を介して互いに結合され、上記ブリッジ部分はラベルが品物に貼付されるときにこのラベルを切り離すために破断される。
【００４６】
一実施形態において、本装置は、第１の搬送手段の下流に配置された更なる搬送ベルトを含み、上記第１の搬送ベルトから上記更なる搬送ベルトへのラベルの移動を選択的に可能にするために制御手段が設けられている。本実施形態おいて上記更なる搬送ベルト上に貼付点が形成される。
【００４７】
一実施形態において、本装置は、搬送ベルト上に配置されたときにラベルに印刷を施すために配置された印刷ステーションを含み、上記印刷ステーションは、ラベルが貼付される個別の品物に固有である材料の塗布を可能にする。
【００４８】
本発明の実施形態は、図面を参照しながら下記のように説明される。
【発明を実施するための最良の形態】
【００４９】
図１は、本発明にしたがって形成されたラベル２を示している。ラベルは、図示のような前面を有し、ラベルの特定の用途に必要とされる印刷６が施された台紙４を備える。また、典型的には、透明な材料であって特定の要件に適するように選択できる剥離層８がラベルの前面に設けられ、印刷されたインキを覆っている。この特定のラベルの本実施形態おいて、剥離層が典型的には目に見えないので、単に参照目的のために図示されているが、剥離層は、一部分１０が剥離層を塗布されていないパターンに形成される。この理由は、ラベルのこの部分に熱反応性インキ１２が印刷されるからである。ラベルが食品用トレーなどの品物に貼付される場合は、例えばこのトレー上の食品の重量、値段および／または消費期限その他の可変情報を表示するために、一般に可変データが印刷される必要がある。パターン化された形で剥離層８を塗布することは、剥離層を確実に各ラベルに塗布でき、領域１０が空いたまま残され、領域１０が熱反応性インキ１２に位置合わせされていることを意味する。こうしてラベルと品物が可変データ印刷ステーションを通過するとき、熱反応性インキ１２と反応するように典型的には選択的に印加される熱は、熱反応性インキ１２と反応するように印加され、可変データがラベルの領域１０に形成される。
【００５０】
図２は、本発明による更なるラベル２を示す。この形式において、ラベルは図示されていないが、印刷を施し得る前面を有する台紙４で形成される。ラベル２は、これに塗布された剥離層８を有する前面と、接着剤層１４を塗布された後面（この図では主に図示されている面）と、を有する。この場合、塗布される接着剤は、永久的接着剤が塗布された参照符号１４’によって示される第１の領域と、暫定的接着剤が塗布された第２の領域１４”とが存在するように、二つの異なるタイプになっている。領域１４”には、例えばレシピ、特定の品物に関する更なる情報の提供、更に広告などの目的のために、ラベル１６がラベル２から取り外されて、別個の存在物として見られることを可能にするように、いったんラベル１６が品物から取り外され、次にコンサーティーナ風に折り畳まれて、ラベル２から剥離可能に取り外すことができる。更なるラベル１６の代替物として、ＲＦＩＤタグとして動作できる電子回路を貼付して接着することができる。この場合、第１のラベル２が運搬目的で使用され、次にＲＦＩＤタグが引き続いて使用できるようになる。
【００５１】
この場合、ラベルは後面上の接着剤の選択された塗布によって説明されるが、ラベル１６がラベル２の前面から剥離可能に取り外され得るように、前面の接着剤部分１４”の選択的塗布を可能にするために同手順をとることができる。したがって、ラベルの一部分が特定の目的のために選択的に利用されることを可能にするために、印刷、剥離層および／または接着剤を位置合わせするという本発明によって達成され得る特徴を図１および図２の両者が示している。
【００５２】
図３は、本発明によるなお更なるラベル２を示す。この場合、台紙４は、透明なシート材料であって、前面には剥離層８が設けられ、この図に主に示されている面である後面には接着剤層１４が塗布されている。後面が印刷６を施されてこの印刷が逆に施されていることを示している。印刷が矢印Ａの方向から正しい順序に見え、また透明な台紙を通して見えている。引き続いて説明されるように、印刷は接着剤層１４に先立って施され、したがって接着剤層１４によって大切に保護される。したがって印刷は、引き続く摩滅また損傷から保護される。
【００５３】
さて図４に転じると、本発明によって一連のラベルを形成する典型的な方法が概略図的として示されている。
【００５４】
最初に紙またはフィルムのシート材料といったラベル台紙のロール２０が巻き解かれて第１のステーション２４に向かって矢印２２の方向に送られる。このステーションは、矢印２６によって示されるように台紙へのインキの塗布がラベル上に印刷を形成するために設けられている。フレキソ印刷、リソグラフ輪転、スクリーン印刷、グラビア輪転などといった如何なる適当な印刷タイプも使用可能である。同様に、必要であれば水性インキも使用可能である。印刷は、間隔をあけた各ラベルに印刷されるように、台紙２８がステーション２４を通るときに台紙２８に沿ってある間隔で施される。次に台紙２８は、矢印３２によって示されるように台紙に切断動作を施して台紙に沿ってラベルの各々の周辺を形成するように切断する切断手段を備えたステーション３０に進む。
【００５５】
一実施形態において、３４によって示されるように、過剰な台紙材料はこの段階で廃棄することができ、それから次のステーション３６にはラベルの台紙のみが進む。この場合、切断ステーション３０は、完全切断を実行せず、台紙上の隣接ラベルの隣接エッジをブリッジ結合させる。ブリッジ結合はそれによって結合されたままにしておく少なくとも一つのブリッジ部分を残して不連続な線または切れやすい切断線にカットするので、隣接ラベルはそれらの隣接エッジで互いに接触した状態に保持される。一実施形態において、ブリッジ部分はできるだけ小さいことが好ましく、例えば１インチ当たり２０個の頻度（frequency）で５／１０００”（インチ）幅に設けることができる。
【００５６】
形成されたブリッジ部分によって共に保持されているラベル台紙と共に台紙２８は、典型的には台紙ラベルの各々の印刷面の上に剥離層を塗布する手段を備えたステーション３６に進む。次に台紙２８は、ステーション３８Ａ、３８Ｂに進む。各場合に従う特定の方法に依存してステーション３８Ａおよび／または３８Ｂは、接着剤層を台紙に塗布するために使用することができる。一実施形態において接着剤層は、ステーション３６において塗布された剥離層の上にステーション３８Ａによって塗布されることができ、あるいはその代わりに台紙の反対側の面に接着剤層を塗布するためにステーション３８Ｂを使用することができる。別の実施形態おいて、両ステーション３８Ａ、３８Ｂは、均一な層として、またはあるパターンに接着剤層を塗布するために使用することもできる。
【００５７】
ラベルを形成するために完了した種々の段階によって、台紙２８はそれから、ラベルが分離されて品物に貼付される貼付手段に進むことができ、あるいはその代わりおそらくより典型的には、ラベル台紙は引き続いてロール４０が後に必要とされるラベルの貼付のための装置に転送され得るようにロール４０に巻き付けられる。典型的には、ラベルのロールは、ラベルが貼付されることになっている場所とは異なる場所で形成される。
【００５８】
さて図５（ａ）、および図５（ｂ）に転じると、図４で示した方法にしたがってロール４０が形成されて図示されている。ロールは一連の基板層とロール芯４２とを含んでいる。外側層を参照すると、この外側層は、ラベル４４の先頭エッジを形成するこのラベルの自由端４６を有するラベル４４を有している。この場合このラベルはその側面４８、５０がロールのエッジに向かって外向きに、次に反対のエッジ５２に向かって内向きに位置しているように、ラグビーボールのような形をしている。エッジ５２は、ロール上の次のラベル４４’のエッジ５４に接しており、エッジ５２、５４は、実際にはブリッジ部分はほとんど目に見えないが参照符号５６によって模式的に示されたブリッジ部分によって互いに保持されている。本実施形態おいて、不要な台紙も残ることはなく、ロールは完全に、ラベルにより形成され、ロール上の連続したラベルの層をラベルが覆っていることも明らかである。
【００５９】
図５（ｂ）は、外側および外側から２番目の層を通るＸ−Ｘに沿った断面図を示す。したがってラベル４４とロール内のその下にあるラベル５８とが示されている。各ラベルに関して、前面６０の上に印刷層６２と剥離層６４とが設けられている。ラベル５８の剥離層６４とラベル４４の下面６６との中間に接着剤層６８’が設けられている。一実施形態においてこの接着剤層は、図４に示された方法の際に、ラベル４４の下面６６に直接塗布され得る。代替として、また同様に可能性があるものとして、接着剤層６８はラベルの剥離層の上に塗布される。この例では接着剤層６８’がラベル５８の剥離層６４の上に塗布される。従ってこれは、形成時には接着剤層は実際には各ラベルの下側に塗布されないことを意味する。しかしながらラベル台紙がロール４０に形成されるとき、接着剤層６８は上に在るラベルの下面に接触し、接着剤層６８が剥離層６４に塗布されるので接着剤層６８は、上に在るラベルの下側に、より可能性高く、確実に転移する。そしてラベルが引き続きロールから取り外されるときに各接着剤層６８が上に在るラベル４４または５８などの下側に付いているロールから離れる。
【００６０】
さて図６Ａ、および図６Ｂに転じると、ラベルを形成して品物の異なる面に貼付するための一方法が示されている。この場合ラベル台紙１００は、ラベルの一連のグループを有し、それらの一つ、グループ１０２が図示されていてラベル１０２’、１０２”を備える。次のラベルのグループ１０４のラベル１０４’の一部が示されており、したがって台紙のロールは一連の上記グループを含んでいる。
【００６１】
各グループにラベル１０２’、１０２”は、図６Ｂに示されるような品物１０６の異なる場所に取り付けられるように設けられる。したがってラベル１０２’、１０２”は、図６Ａに示すようにラベル間で異なる印刷を施すことができる。隣接するラベルは、その形成時にそれぞれの関係において、前に実施されたダイカッティングプロセスによって分離されたラベルのエッジの残り部分を用いて図示のようにブリッジ部分１０８によって保持されている。貼付時に各グループのラベルの分離が最初に実施され、それから各ラベルはグループ内の他のラベルとは別に独立して移動され、適当な場所に、この場合には品物１０６の前面１１０、後面１１２に貼付され、それによって品物への１グループのラベルの同時貼付を可能にしている。
【００６２】
本明細書において説明された改良の更なる特徴は、品物への貼付時にラベルがラベル台紙から取り外される仕方であって、図７（ａ）、および図７（ｂ）はこれを達成し得る二つの方法を示している。
【００６３】
本出願人の前述の特許において、台紙上の隣接ラベルの隣接エッジ間のブリッジ部分の分離または破断を引き起こすビークまたは点の使用が説明されており、このプロセスはなお本明細書において説明された改良と関連して使用することができる。
【００６４】
図７（ａ）には、方向２０４に動かされる品物２０２が示されている。ラベルのロールの一部としてラベル２０８に接続され、順にラベル２１０、以下同様に接続されたラベル２０６が示されている。ラベル２０６の先頭エッジ２１２は品物に取り付けられており、ラベルは矢印２１４によって示された方向に送られる。ラベル２０８からのラベル２０６の分離は、境界線２１６におけるエッジのブリッジ部分を破断することによって達成される。
【００６５】
図７（ａ）に示された方法によれば、境界線２１６の破断は、ラベル２０６、２０８の送り速度に関して品物２０２の送り速度をゼロまたは異なる速度にすることによって促進され、あるいは容易にされる。典型的にはこの速度変化は、ラベル２０６の先頭エッジ２１２が品物２０２に接着したことが検出されたときに起こる一時的変化である。いったん接着が達成されると、これはラベル２０６が品物２０２の速度で有効に動かされるであろうことを意味する。この速度と残りのラベル２０８、２１０などの送り速度との間の速度の差別化は、境界線２１６である切断線における破断を促進する。この速度変化は、品物２０２とラベル２０８、２１０の動きを制御するステッピングモータの動作を制御することによって達成することができる。速度差を引き起こすための変化は、境界線において破断を引き起こすために十分な継続時間が必要であろうが、その後、次の境界線の破断が必要となるまで品物とラベルの送り速度が再び同じになるような状態に戻るであろう。
【００６６】
ラベル２０６、２０８、２１０などが貼付される、図７（ａ）と同じ参照符号を使用して一連のラベルを示す図７（ｂ）に別な方法と装置とが示されている。再度、境界線２１６は、ラベル２０６が品物２０２に貼付されて引き剥がされるように破断される必要がある。図７（ｂ）では境界線２１６は、例示のために既に部分的に破断された状態に誇張されて図示されている。この場合、境界線２１６の破断は、ラベルの走行方向２１４に関して角度的にずれた品物２０４の走行方向を与えることによって達成される。この角度的ずれ（offset）Ｘは、説明のために大きく誇張された形で図７（ｂ）に示されている。実際の角度ずれは１度または小さな度数である。いったんラベル前端２１２が品物２０２に接着すると、ラベル前端２１２は方向２１４とは対立する方向２０４に走行するため、破断が達成される。したがってこの角度ずれは、境界線２１６に引き裂き効果あるいは破断効果を引き起こし、それによってそれぞれのラベル２０６、２０８を接続するブリッジ部分を破断してラベル２０８からラベル２０６を切り離す。
【００６７】
図７（ａ）、および図７（ｂ）のこれらの方法のどちらかまたは両者は、境界線２１６におけるブリッジ部分の破断を促進するために別々に、あるいは同時に使用することができる。
【００６８】
さて図８（ａ）、および図８（ｂ）を参照すると、本発明の更なる実施形態が示されている。この場合、ラベルは、前述の実施形態のいずれかにしたがって前述の説明のように形成でき、一連のラベルが図８（ｂ）に示されている。各ラベルは、前部エッジ３０２と、後部エッジ３０４と、前部および後部エッジを結合する二つのサイドエッジ３０６、３０８と、を有する。前部エッジは、例えば図８ａに示すような電池３１０または図８（ｂ）に示すようなボトル３１４の上部３１２といった品物の周りに巻き付けられることを可能にするように進められる。ラベルは、前部エッジと後部エッジとが結合してオーバーラップするようにラベルが品物の周りに完全に巻き付けられることを可能にするような長さである。
【００６９】
サイドエッジの一方または両方に隣接して、サイドエッジ３０６、３０８の一方または両方から内向きに位置するラベル３１６の部分が設けられている。これらの部分には、熱が印加される。そうすると、これらの部分は収縮し、品物のエッジまたはリップまたは他の突起に巻き付き、それによってラベルを品物に固定する。したがって、電池では、効果的な表示ラベルを与えることになる。
【００７０】
別の修正を施した形態では、１本以上の孔あき線３２０が、図８（ｂ）に示すようなラベルのサイドエッジとほぼ平行に走るように設けることができる。例えば、ボトルキャップ３１８の取り外しがボトル３１４の内容へのアクセスを得ることを可能にするといった、品物内へのアクセスが得られる前にラベルの一部分を取り外すために孔あき線が破断される必要があるといった仕方で、ラベルは品物上に配置される。したがって、孔あき線は、いったんラベルが品物に貼付されると、品物のための不正開封防止手段として機能する。
【００７１】
さて図９（ａ）〜図９（ｃ）を参照すると前述のような主として裏当てなしタイプのラベルを貼付するための、本発明の一実施形態による装置が示されている。装置は、前述のタイプのラベルのロール４０４を保持する保持具４０２を含む。ラベルのロールは、ローラ４０８と被駆動ローラ４１２を介して駆動されるベルト４１０とを備える送り手段を介してロール４０４から送られる自由端４０６を有する。ベルト４１０は、「ビーク」とも呼ばれる貼付器端部４１４の周りを通る。ベルトは、ラベル台紙４１６に塗布された接着剤が接着しない材料で形成することができるので、接着剤が塗布されたラベル表面４１８は、図示のようにベルトに接触するように位置決めすることができる。ラベル台紙は、ガイドローラ４２０の下のビーク４１４に進み、自由端４０６は、動かされつつある品物４２４に接触する方向４２２に、この場合図９（ａ）の方向４２６に、またラベルの自由端の送りの方向にある角度を有する図９（ｂ）、および図９（ｃ）における方向４２８に進み続ける。
【００７２】
ラベル４２８の自由端４０６は、動いている品物４２４に接触し、ローラ４３０によってこの品物に押し付けられる。品物が動き続けると、品物と共に動く、動いている品物に接着されたラベル端部４０６によって破断力がこのラベルを次のラベル４２８に結合している不連続な線４３２に印加されるように、ラベルの送りが瞬間的に遅くすることができ、または停止することができる。
【００７３】
生成された破断力は、この破断線４３２のブリッジ部分を破断するようなものであって、それによってラベル全体が品物に貼付される。それから、ロール上の次のラベル４２８は、次の品物に貼付されるために自由端を形成し、ラベルの送りは再開始され、次のラベルと品物のために貼付プロセスが繰り返され、以下同様となる。図示のように、移動力（movement force）に加えて、破断線のブリッジ部分のせん断を促進し、それによってラベル４２８が破断線４３２に沿ってラベル４２８から分離することを可能にし、したがって品物４２４に完全に接着して品物と共に動き去るように、エッジ４３６を有するブレード４３４が切断線４３２に接触するように配置されている。この手順は、ラベルと品物がラベルの貼付のために適当な位置に送り込まれながら、それぞれ連続するラベルと品物のために続けられる。
【００７４】
本発明による装置の更なる実施形態が図１０（ａ）〜図１０（ｆ）を参照しながら説明される。
【００７５】
最初に図１０ａを参照すると本発明の一実施形態による装置が示されている。ラベル台紙５０２は、巻き解きロール５０４から送り出され、ガイドローラ５０８、５１０を通ってアンビル５１２と切断機５１４へ、材料の張力を保持するためにジョッキーホイール５０６の上を走行する。切断機は、シリンダーの周りに形成された多数のカッティングインプレッションを有する磁気シリンダー上に取り付けられた固体状のダイ（solid die）または柔軟なダイ（flexible die）を用いることができる（ダイカッティング）。ラベルは切断され、ラベル５１６は、図示のようにこの段階で完全に互いに分離されるか、あるいは好ましくは隣接するラベル５１６の接しているエッジはなお、カッティングダイにおいて形成された一つ以上のブリッジ部分によって搬送ベルトに沿って動きながら結合されている。次にラベルは、コンベヤ５２２に沿って動き、品物５２０への貼付のためにアンビルから搬送ベルト５１８に搬送される。ラベルが貼付点に到達した時点でブリッジ部分によって互いにまだ結びついていれば、ブリッジ部分はラベルが品物に接着しながら破断され、それによって搬送ベルト上の残りのラベルから切り離される。ラベルが台紙材料から切り取られた後の台紙の不要部分５２４は、ローラ５２６に巻き取られる。
【００７６】
さて図１０（ｂ）に転じると、搬送ベルト５１８は、切断機５１４とアンビル５１２とが接触する点５２８のできるだけ近くに取り付けられ、ラベルが搬送ベルト上を走行するために最短距離を与えるようにする。ラベルがベルト５１８上に配置されると、ラベルは製品に貼付することができる。この搬送ベルトは、端部５３０でビークとして機能し、接着剤は必要であればこの点で位置合わせされた状態で塗布することができる。
【００７７】
図１０（ｃ）には、ラベル５１６を切断して、搬送ベルト５１８の周りを進む保持領域としての流れにラベル置くことができるようにする、搬送ベルト５１８への延長部５３２が示されている。これは、例えばラベルを貼付する製品が存在しなければラベルはベルト５１８から延長部５３２に進むことはなく、必要とされるまで貼付点またはビーク５３０に到達しないようにしたものであり、特にリール変更のための機械の停止時間の効率を助ける。ブリッジ５３４の形をした制御手段は、２本のベルト５１８、５３２の間に置かれ、より大きな動作速度を達成して、ブリッジが低くされたときにラベル５１６がベルト５１８からベルト５３２に進むことができるかどうかも決定するために、保持ベルト５１８の長さを可変にする柔軟性を与えている。ブリッジ５３４が図示のように高くされれば、ラベルはベルト５１８上に留まる。
【００７８】
磁気カッターシリンダー５１４と柔軟なダイとこれらのためのサーボ駆動機構とを使用すると、磁気カッターシリンダー５１４はカッター輪郭形状の段差と繰り返しとに適合するために変更される必要がなく、一定の直径とすることができる。磁気ダイの一部の周りの単一切断機は、切断機に対して材料をインデックス付けするために、「ダンスローラ」（図示せず）を使用して印刷に位置合わせされた状態に留まるであろう。
【００７９】
さて図１０（ｄ）に転じると、例えばインキジェット／感熱／熱転写またはレーザー手段によって可変データを加えるための印刷ステーション５３６が必要とされれば、この印刷ステーション５３６は、品物の重量といった品物５２０の特定のデータに関連する印刷を施すために搬送コンベヤ５１８の上に配置されることができ、それから印刷された後、ラベルは、貼付点５４０に送られながら、引き続いて品物に貼付されるようにすることができる。
【００８０】
この搬送コンベヤの上にレーザーカッター（図示せず）を配置することもでき、柔軟な切断機の必要をなくすことができる。ある幾つかの用途では、図１０（ｅ）に示すようにセキュリティカットが必要とされ、搬送コンベヤ５１８上の点で更なる台紙５４２をラミネートすることによって、拡張されたテキストラベル、セキュリティタグ、有期償還クーポンといったアイテムが、すべての部分が位置合わせされた状態に保持できながら、搬送ベルト上でラベル５１６に貼付することができる。
【００８１】
図１０（ｆ）は、図１０ａ〜図１０ｅで説明された装置の更なる実施形態を示し、したがって同じ参照符号と説明とを利用する。
【００８２】
このように本装置は予言され位置合わせされた仕方（in a predicted and registered manner）で、少なくとも一つの搬送ベルト５１８を介して貼付点５３４と品物５２０へのラベル５１６の切断と搬送とを可能にし、それによって可変印刷および／または台紙の貼付および／または更なる切断が予言可能な仕方で達成された。
【００８３】
したがって、本明細書において説明されたラベルとこれを形成する方法とは多くの潜在的な利点と多くの潜在的な使用法とを提供している。
【図面の簡単な説明】
【００８４】
【図１】本発明の一実施形態にしたがって形成されたラベルを示す。
【図２】本発明の一実施形態にしたがって形成されたラベルの更なる形を示す。
【図３】本発明の一実施形態にしたがって形成されたラベルのなお更なる形を示す。
【図４】これらのラベルを形成するときに用いる方法を概略形式で示す。
【図５】（a）（b）は、図４の方法を用いて形成されたラベルのロールを示す。
【図６】（a）（b）は、品物への貼付のためにグループ別に形成されたラベルを示す。
【図７】（a）（b）は、品物にラベルを貼付するときにラベルを分離するための方法を示す。
【図８】（a）（b）は、本発明の更なる実施形態を示す。
【図９】（a）（b）（c）は、本発明による装置の一実施形態を示す。
【図１０】（a）(b)（c）（d）（e）（f）は、本発明による装置の更なる一実施形態を示す。
【図１】
2008529048.tif 000003
【図２】
2008529048.tif 000004
【図３】
2008529048.tif 000005
【図４】
2008529048.tif 000006
【図５Ａ】
2008529048.tif 000007
【図５Ｂ】
2008529048.tif 000008
【図６Ａ】
2008529048.tif 000009
【図６Ｂ】
2008529048.tif 000010
【図７Ａ】
2008529048.tif 000011
【図７Ｂ】
2008529048.tif 000012
【図８Ａ】
2008529048.tif 000013
【図８Ｂ】
2008529048.tif 000014
【図９Ａ】
2008529048.tif 000015
【図９Ｂ】
2008529048.tif 000016
【図９Ｃ】
2008529048.tif 000017
【図１０Ａ】
2008529048.tif 000018
【図１０Ｂ】
2008529048.tif 000019
【図１０Ｃ】
2008529048.tif 000020
【図１０Ｄ】
2008529048.tif 000021
【図１０Ｅ】
2008529048.tif 000022
【図１０Ｆ】
2008529048.tif 000023
【国際調査報告】
2008529048.tif 000024
2008529048.tif 000025
2008529048.tif 000026
2008529048.tif 000027
2008529048.tif 000028
2008529048.tif 000029
2008529048.tif 000030